(57)【要約】【課題】会場に来訪したゲストを主催者等が撮影し、その画像を希望する来訪者に配る場合に、実際に来訪していない人に画像が配布されたり、また、画像に大きく又は中央に写っていない人に画像が配布されるおそれがある。いずれの場合も、他人が特定の人物の画像を得ようとする行為で、写っている本人の承諾がないとプライバシーの問題となる。【解決手段】会場の入場者の顔画像データを得て、さらにＩＤを付与し、画像配布の希望者には、会場に来訪した際のＩＤと自分の顔画像データを申請させる。そして、入場時のＩＤおよび顔の画像データを比較することで、本人確認する。そして、会場で撮影した撮影データの中から、その画像に主として写っている人物の顔が申請者の顔と一致する撮影データを抽出する。【選択図】図１
2011044840.tif 000002
【特許請求の範囲】
【請求項１】
会場に来訪した人達を会場内で撮影した撮影データの集合である園内撮影データの中から、自らが写っている撮影データを希望する申請者が写っている撮影データを、抽出する画像記録抽出システムであって、
来訪したゲストに付与された識別情報ＩＤと、前記ゲストの顔データＧｐと、前記顔データＧｐから求めた顔特徴データＧＴｐとを得るゲストデータＧＤ取得手段と、
撮影データＳｐと、前記撮影データＳｐから所定条件の下で人物を選択し、前記選択された人物から得た顔特徴データＰＴｐとを得る園内撮影データＳＨＯＴ取得手段と、
自分が写っている前記撮影データＳｐを希望する申請者が申請した申請者情報ＷＩＤと、顔データＷｐと、前記顔データＷｐから得た顔特徴データＷＴｐとを得る申請者データＡＤ取得手段と、
前記ゲストデータＧＤ取得手段と、前記園内撮影データＳＨＯＴ取得手段と、前記申請者データＡＤ取得手段とで取得したデータを記録する記憶手段と、
前記識別情報ＩＤと前記申請者情報ＷＩＤが等しく、且つ前記顔特徴データＧＴｐ若しくは前記顔特徴データＷＴｐが前記顔特徴データＰＴｐと一致するという条件を満たす前記撮影データＳｐを前記記憶手段から抽出する処理手段を有する画像記録抽出システム。
【請求項２】
前記処理手段は、さらに顔特徴データＧＴｐと前記顔特徴データＷＴｐが等しい点を前記条件に加えた請求項１に記載の画像記録抽出システム。
【請求項３】
前記ゲストデータＧＤ取得手段と、前記園内撮影データＳＨＯＴ取得手段とは、さらに日付データＤｄを得て、
前記申請者データＡＤ取得手段は、さらに日付データＷＤｄを得て、
前記処理手段は、さらに日付データＤｄと日付データＷＤｄが等しい事を前記条件に含める請求項１または２の何れかに記載された画像記録抽出システム。
【請求項４】
前記所定条件は撮影データの中で顔の大きさが大きい人物からｎ人を選択する請求項１乃至３の何れか１の請求項に記載された画像記録抽出システム。
【請求項５】
前記所定条件は撮影データの中で中央部分からの距離の近い人物からｎ人を選択する請求項１乃至３の何れか１の請求項に記載された画像記録抽出システム。
【請求項６】
前記記憶手段には、予めメンバーとして登録された人物のメンバー識別情報ＭＩＤと、メンバー顔データＭｐと、前記メンバー顔データＭｐから求めたメンバー顔特徴データＭＴｐを含むそれぞれ関連づけられたメンバー登録データＭＤが記録されており、
前記ゲストデータＧＤ取得手段は、前記顔特徴データＧＴｐと一致するメンバー顔特徴データＭＴｐに関連づけられたメンバー識別情報ＭＩＤが存在した時は、前記識別情報ＩＤに代えて、前記メンバー識別情報ＭＩＤを前記ゲストデータＧＤの一部として前記記憶手段に記録する請求項１乃至５の何れか１の請求項に記載された画像記録抽出システム。
【発明の詳細な説明】
【技術分野】
【０００１】
本発明は特定の会場内において、撮影された静止画や動画を被写体となった人に配布若しくは配信するシステムに関するものである。特に、イベント会場やエンターテイメント開催地で、開催者等が来訪したゲストを撮影しその画像を撮影されたゲストに配布する際に「なりすまし」やプライバシーに関する問題を回避する画像記録抽出システムに関する。
【背景技術】
【０００２】
エンターテイメント開催地では、ゲストは自ら写真機等の撮影機器を持ち込み、写真撮影などを行う。しかし、自分達で撮影を行う場合、撮影を行う人自身は撮影されない。そこで、開催者側が撮影を補助するサービスが行われている。
【０００３】
たとえば、１グループ単位でアトラクションの実施が行われる場合に、１グループ毎に短時間現像が可能なカメラで撮影し、アトラクション終了後に写真を即時販売するサービスなどが行われている。
【０００４】
また、開催地内のさまざまな場所に予め撮影機器を用意しておき、無線発信機を持った来訪者が撮影指示を出した時に写真撮影を行うシステムが提案されている（特許文献１）。撮影指示を受信した最寄りの撮影機器が来訪者を撮影し、撮影指示者と画像データを関連付けて記録し、後ほどこれを配信する。これは被写体となる来訪者が自分自身の意思で撮影タイミングを決定する撮影補助システムである。
【０００５】
また、特許文献２には、無線タグを有する来訪者が特定の範囲の場所に来たら撮影するシステムが開示されている。このシステムでは、来訪者は撮影される場所を予め知ることはできるものの、どのようなタイミングで撮影されたかは出来上がりの写真などを見なければわからない。逆に言うと、来訪者は自然な自分の姿を撮影された画像を得ることができる。
【０００６】
しかし、これらのシステムでは、来訪者に無線発信機や無線タグを配布しなければならず、開催者側には設備負担となるし、来訪者が開催地内で紛失したり、そのまま持ち帰ったりするといった問題も発生する。
【０００７】
これに対して特許文献３で開示されている撮影サービスシステムでは、巡回ロボットが開催地内を回りながら無作為に撮影を行う。得られた画像データは、自分が写っている画像を希望する人の人物画像データに基づいて検索され、希望する人が写っている画像だけを抽出される。このシステムでは、来訪者は自ら撮影機器を持つ必要がなく、また無線タグ等の機器を持ち歩く必要もない。
【０００８】
また、特許文献４で開示されている撮影サービスシステムも、来訪者の顔の特徴量を頼りに、撮影された画像データ群から、来訪者の写った画像データを抽出し、自分が撮影された画像を欲する来訪者に配布するシステムが開示されている。
【０００９】
これらのシステムは、来訪者自らが撮影機器を持っていなくても写真などの画像データを得ることができる。また、無線タグなどの開催者側から貸与される装置なども不要である点で利便性は高い。
【００１０】
特に近年は顔の認識技術が向上し、正面以外のアングルの顔の画像からでも、同一人物か否かの特定ができるようになってきている（特許文献５参照）。また、大量のデータから特定のデータを短時間で抽出する技術も開発されている（特許文献６参照）。
【先行技術文献】
【特許文献】
【００１１】
【特許文献１】特開平１０−２２４７７３号公報
【特許文献２】特開２００３−１１６１２７号公報
【特許文献３】特開２００７−２９３４３２号公報
【特許文献４】特開２００７−２２８３８１号公報
【特許文献５】特開２００９−０４３０６５号公報
【特許文献６】特開２００４−３１８３６５号公報
【発明の概要】
【発明が解決しようとする課題】
【００１２】
しかし、顔の特徴に基づく画像データの抽出と、これらの配信システムには、以下のような問題点がある。つまり、非常によく似た人間若しくは本人の顔写真を用いた「なりすまし」問題である。例えば、ある人に非常によく似た人間が、その人に成り代わって、画像データの抽出を依頼する場合である。この点、機械による顔の特徴抽出は、人間ほど騙されないものの、さまざまな角度から撮影された写真の中から抽出する場合は、判断の閾値を下げなければならない場合もあり、誤認は起こりやすくなる。
【００１３】
また、世間に知られている有名人が会場を訪れた場合に、その人物が写っている画像データの取得を希望し、自らは会場に来ていないにもかかわらず、撮影データを欲しがる場合も、この「なりすまし」の一形態である。
【００１４】
また、カメラ付き携帯電話などで、送られてきた顔写真に基づいて、撮影データから画像等を抽出する場合は、自分でない他人の顔写真を送ってくる場合もある。言い換えれば、自分が写っている画像がその画像に全く関係のない人に配布される場合もある。このように自らのプライバシーの時間中に撮影された画像データが、他人の手に渡ってしまうおそれがあるという課題がある。
【００１５】
また、開催地内で無作為に撮影された写真等に写っているとはいえ、画面の端に小さく写っているような写真は、本人にとっての価値は小さい。また、そのような写真は、画面の中央に写っている他人の写真を、小さくしか写っていない人が取得することができるという点で、やはり他人のプライバシーを侵害する虞がある。
【００１６】
前者は、意図的に他人の写っている画像を抜き出す場合であり、後者は偶然に他人が主として写っている画像を取得できるという場合であるが、いずれにしても、顔の特徴に基づいて、予め撮影された画像データから特定の画像データを抽出するには、プライバシー問題が生じるおそれがある。
【課題を解決するための手段】
【００１７】
本発明は、上記課題に鑑みて想到された発明である。具体的には、
会場に来訪した人達を会場内で撮影した撮影データの集合である園内撮影データの中から、自らが写っている撮影データを希望する申請者が写っている撮影データを、抽出する画像記録抽出システムであって、
来訪したゲストに付与された識別情報ＩＤと、前記ゲストの顔データＧｐと、前記顔データＧｐから求めた顔特徴データＧＴｐとを得るゲストデータＧＤ取得手段と、
撮影データＳｐと、前記撮影データＳｐから所定条件の下で人物を選択し、前記選択された人物から得た顔特徴データＰＴｐとを得る園内撮影データＳＨＯＴ取得手段と、
自分が写っている前記撮影データＳｐを希望する申請者が申請した申請者情報ＷＩＤと、顔データＷｐと、前記顔データＷｐから得た顔特徴データＷＴｐとを得る申請者データＡＤ取得手段と、
前記ゲストデータＧＤ取得手段と、前記園内撮影データＳＨＯＴ取得手段と、前記申請者データＡＤ取得手段とで取得したデータを記録する記憶手段と、
前記識別情報ＩＤと前記申請者情報ＷＩＤが等しく、且つ前記顔特徴データＧＴｐ若しくは前記顔特徴データＷＴｐが前記顔特徴データＰＴｐと一致するという条件を満たす前記撮影データＳｐを前記記憶手段から抽出する処理手段を有する画像記録抽出システムを提供するものである。
【発明の効果】
【００１８】
本発明の画像記録抽出システムは、会場に来訪したゲストに識別情報ＩＤを付与し、ゲストの顔の画像データＧｐを得ておき、会場内で撮影された撮影データＳｐの希望者には、自分が持っている申請者情報ＷＩＤと顔の画像データＷｐを提出させ、それらを比較することで、確かに会場に来訪したものであることを確認するので、「なりすまし」の問題を回避できる。
【００１９】
また、会場で撮影した撮影データからは、画像の中央に写っている人物や、画像の中で大きく写っている人物の顔特徴データＰＴｐを求めておき、それらの人物だけが抽出の対象となるようにするので、画像に主として写っている人にだけ撮影データが渡るようにでき、画像に写された人物のプライバシーを保護することができる。
【図面の簡単な説明】
【００２０】
【図１】本発明の画像記録抽出システムの構成を示す図である。
【図２】ゲストデータＧＤ取得手段の処理を示すフロー図である。
【図３】撮影データＳｐを例示する図である。
【図４】園内撮影データＳＨＯＴ取得手段の処理を示すフロー図である。
【図５】申請者データＡＤ取得手段の処理を示すフロー図である。
【図６】処理手段の処理を示すフロー図である。
【図７】実施の形態２に係るゲストデータＧＤ取得手段の構成を示す図である。
【図８】実施の形態２に係るゲストデータ処理部の処理を示すフロー図である。
【発明を実施するための形態】
【００２１】
（実施の形態１）
図１を参照して、本発明の画像記録抽出システム１０を説明する。本発明の画像記録抽出システム１０は、主として遊園地やイベント会場などのように、特定の会場内に入場した来訪者を、主催者若しくは主催者から委託を受けた者（以後「主催者等」と呼ぶ。）がカメラで任意に撮影し、後に来訪者は自分が写った撮影データを取得できるサービスを提供する。
【００２２】
最初に、このシステムの概略を説明する。会場への来訪者（以下「ゲスト」ともいう。）は、ゲートに入る前に識別情報ＩＤが付与されている。識別情報ＩＤは、個々のゲストへのユニークなコードである。また、付与されるコードは、連続するコードでないのが好ましい。識別情報ＩＤが容易に推測されるからである。そして、入場ゲートをくぐる際に、識別情報ＩＤを認識するとともに、ゲストの顔が撮影される。そして、このゲストの顔の画像データＧｐからその特徴を抽出若しくは算出し、ゲストの顔の画像データＧｐの特徴データＧＴｐを得る。
【００２３】
なお、本明細書では、顔の画像データを「顔データ」と呼び、顔の画像データの特徴データを「顔特徴データ」と呼ぶ。顔データ及び顔特徴データは、撮影された場所や日時によって区別され、それぞれの言葉の後に、記号を付けて区別する場合もある。ゲストの識別情報ＩＤと顔データＧｐ、ゲスト顔特徴データＧＴｐは、日付データＤｄと共に記録される。
【００２４】
会場内では、主催者等によって、複数のカメラが設置されており、任意のタイミングで撮影が行われ、撮影データＳｐが取得される。撮影データＳｐには、複数のゲストが写っている場合が多いが、この内、数名の人物を選択し、その顔データから顔特徴データを抽出する。そして、撮影データＳｐと顔特徴データＰＴｐは、共に記録される。なお、撮影データＳｐを撮影した日付データＥｄを加えてもよい。
【００２５】
つまり、ゲストにとっては、来訪した会場で、第三者の視点から撮影された自分の画像データが生成されたことになる。もちろん、写されることがわかった状態で撮影された撮影データＳｐがあってもよい。
【００２６】
ゲストは、会場から退場する際、若しくは自宅に戻ってからでもよいが、自分が写っている撮影データを所望したい場合は、自分が持っている識別情報と自分の顔データを、申請者情報ＷＩＤおよび申請者顔データＷｐとして、主催者等に送信する。
【００２７】
主催者等は、申請者情報ＷＩＤと一致する識別情報ＩＤの有無を確認する。もし、申請者情報ＷＩＤと一致する識別情報ＩＤがなければ、申請者は会場に訪れたゲストではないと判断できる。すなわち、他人の顔データで撮影データの申請を行う「なりすまし」行為は、識別情報によって排除することができる。
【００２８】
また、さらに、申請者情報ＷＩＤと一致した識別情報ＩＤのゲスト顔データＧｐと申請者の顔データＷｐの一致を確認してもよい。これはそれぞれの顔特徴データであるＧＴｐとＷＴｐを比較することで、人間の判断を介さなくても容易に判断が可能である。
【００２９】
識別情報ＩＤが申請者情報ＷＩＤと一致した場合は、確かに会場に来訪した人であると確認することができるので、送られてきた申請者顔データＷｐから顔特徴データＷＴｐを求める。そして、撮影データＳｐの中から、顔特徴データＷＴｐと一致する顔特徴データＰＴｐを有するものを検索し抽出する。
【００３０】
ここで、撮影データＳｐには、例えば大きく写っている人が３名の顔特徴データしか抽出されていないようにすれば、申請者が画像の中で大きく写っている撮影データだけが、抽出される。つまり、他人が自分と同時に写っている写真であったとしても、小さく写っている他人にはその撮影データが渡ることはなく、プライバシーの保護を担保することができる。以上が本発明の画像記録抽出システムの動作の概要である。
【００３１】
次に本発明の画像記録抽出システムの構成を説明する。本発明の画像記録抽出システム１０は、ゲストデータＧＤ取得手段１１と、園内撮影データＳＨＯＴ取得手段１２と、申請者データＡＤ取得手段１３と、処理手段１４と、記憶手段１５を含む。
【００３２】
初めにゲストデータＧＤ取得手段１１から説明する。ゲストデータＧＤ取得手段１１は、会場に来訪したゲストに付与された識別情報ＩＤと、ゲストの顔を撮影した顔データＧｐと、顔データＧｐからゲストの顔の画像データとしての特徴を求めた顔特徴データＧＴｐを取得し、記憶手段１５に記録する。
【００３３】
識別情報ＩＤは、会場に入場する前に、ゲストに付与されているのが好ましい。本発明の画像記録抽出システム１０では、入場時に識別情報ＩＤと共にゲストの顔データＧｐを撮影するからである。識別情報ＩＤの形態については、高速で読み取りが可能である形態が好ましく、印刷、バーコード、磁気媒体、無線通信ＩＣなどが好適に利用できる。
【００３４】
また、この識別情報ＩＤを担持させる媒体は、入場券、カード、名札などが好適に利用できる。この識別情報ＩＤは、ゲストが退場時若しくは退場後に、自分の写っている撮影データの取得を希望する際に、主催者等に通知しなければならないので、少なくともゲストが認識し、転記できるものである必要がある。その点、直接印刷されているものや、携帯カメラで撮影可能なバーコードはより好ましい。
【００３５】
識別情報ＩＤは、ゲストがゲート２１を通過する際に、ゲート２１で読み込まれるが、ゲストの顔の撮影とほぼ同時に入手できれば、これに限定するものではない。例えば、ゲストの顔を撮影する際に、同時にバーコードを撮影し、バーコードの画像から識別情報ＩＤを取得するなどしてもよい。識別情報ＩＤを取得する部分を識別情報ＩＤ取得部２２と呼ぶ。図１では、識別情報ＩＤ取得部２２は、ゲート２１である。識別情報ＩＤ取得部２２は、画像記録抽出システムの中でゲストの識別情報ＩＤを出力する構成部分である。
【００３６】
ゲストの顔の画像データ（顔データ）Ｇｐは、撮影機２３によって撮影される。これはスチルカメラであってもよいし、動画を撮影するムービーカメラであってもよい。ゲストの顔データＧｐを撮影する構成をゲスト顔データＧｐ撮影部２４と呼ぶ。図１では、ゲスト顔データＧｐ撮影部２４は、撮影機２３と同じである。ゲスト顔データＧｐ撮影部２４は、画像記録抽出システムの中で、ゲストの顔データを出力する構成部分である。
【００３７】
ゲスト顔データＧｐ撮影部２４によって撮影されたゲストの顔データＧｐは、ゲスト顔特徴データ抽出部２６に送られる。ゲスト顔特徴データ抽出部２６では、ゲスト顔データＧｐから顔特徴データＧＴｐが抽出される。
【００３８】
顔特徴データＧＴｐは、ゲスト顔データＧｐの中の、目、鼻、口、あごの輪郭、あるいは、瞳孔の中心、目の内側の端と外側の端などといった特徴点から、それぞれの間隔、例えば口や目の幅、瞳孔と瞳孔などの距離を用いて計算され求められる。また、複数の特徴値を所定の規則の下に並べたものでもよい。
【００３９】
会場に入場するゲストの顔の撮影では、ゲストの顔の正面視を撮れるとは限らない。また、会場内で撮影された撮影データからゲストが写った画像データを抽出する際も、正面視の画像データを得ることはむしろ少ない。従って、ここで利用できる顔特徴データは、顔の向きや光線の当たり具合による印影に影響されにくくなるようなデータ処理で求められた顔特徴データであることが望ましい。
【００４０】
ゲストの顔データＧｐ、顔特徴データＧＴｐ、識別情報ＩＤといった情報は、日付データＤｄと共に、ゲストデータ処理部２８によって、ゲストデータＧＤとしてまとめられ、記憶手段１５に記憶される。これらのデータは関連づけられたデータとなり、どれかのデータによって残りのデータを決定することができるように記憶される。例えば、識別情報ＩＤを検索することで、ゲストの顔データＧｐは抽出できる。
【００４１】
ゲスト顔特徴データ抽出部２６とゲストデータＧＤを取りまとめて記憶手段１５に記憶させるゲストデータ処理部２８は、主としてコンピュータのソフトウェアで行われる。これらの処理は１つのコンピュータで行ってもよいし、複数のコンピュータにまたがってもよい。
【００４２】
従って、ゲストデータＧＤ取得手段１１は、ゲストの識別情報ＩＤ取得部２２と、ゲスト顔データ撮影部２４と、ゲスト顔特徴データ抽出部２６と、ゲストデータ処理部２８から構成される。
【００４３】
図２には、ゲストデータＧＤ取得手段１１の処理のフローを示す。ゲストデータＧＤ取得手段１１がスタート（Ｓ１００）すると、終了判断（Ｓ１０２）を行い、ゲストがいないか、入場を終える場合は、そのまま停止する（Ｓ１０３）。
【００４４】
ゲストがいる場合は、ゲストの顔を撮影して顔データＧｐを得る（Ｓ１０４）。次に顔データＧｐから顔特徴データＧＴｐを求める（Ｓ１０６）。そして、識別情報ＩＤを取得し（Ｓ１０８）、日付データＤｄも含めて関連付けを行い（Ｓ１１０）、記憶手段１５に記憶させ（Ｓ１１２）、終了判断（Ｓ１０２）に戻る。以上がゲストデータＧＤ取得手段１１の詳細である。
【００４５】
園内撮影データＳＨＯＴ取得手段１２は、会場内に設置された撮影機３１によって、会場内のゲストの撮影データＳｐを取得する。撮影機３１は静止画を撮影するスチルカメラであってもよいし、動画を撮影するムービーカメラであってもよい。設置場所には特に限定されるものではなく、固定した撮影機によって定点撮影を行ってもよいし、スタッフ若しくは自動移動車が撮影機を持って、会場内を周遊しながら撮影してもよい。
【００４６】
撮影のタイミングも特に限定されるものではなく、一定時間毎に撮影してもよいし、音若しくは赤外線によって人の接近を検知し、撮影を行ってもよい。また、人が集まりやすい会場内のエリアに撮影機を設定し、ゲストが写されていることを意識した状態で、撮影を行ってもよい。
【００４７】
動画を撮影するムービーカメラでは、撮影データＳｐを数秒から数十秒ごとのファイルに分けて記憶するのが好ましい。ファイルに分割しておけば、代表画像によってどのような人物が写っている撮影データＳｐであるかを区別することができるからである。撮影データのファイル化は、ムービーカメラ自体が行なってもよいし、撮影データ分割部（図示せず）を別途設けて実行してもよい。
【００４８】
撮影機３１をまとめて、園内撮影部３２と呼ぶ。言い換えると、園内撮影部３２は、画像記録抽出システムにおいて撮影データＳｐを出力する構成部分である。園内撮影部３２は取得した撮影データＳｐを人物選択部３４に送る。園内撮影部３２から人物選択部３４へのデータ送信は、有線若しくは無線で行うことができる。また、データ送信は、撮影と同時でもよいし、一定時間毎でもよい。
【００４９】
人物選択部３４は、撮影データＳｐの１枚の画像から所定の条件の下でｎ人（ｎは自然数）の人物を選択する。会場で撮影された画像には複数の人物が写っている場合が多いが、小さく写っている人や、画像の端に写っている人は、その画像の所有者としてはふさわしくないと考えられる。そこで、本発明の画像記録抽出システム１０では、会場内で撮影された撮影データＳｐに対しては、画像の中央若しくは最も大きく写っている人から順に複数人を、その画像を配布するにふさわしい人物として、検索時の対象となるように顔特徴データを求める。
【００５０】
大きく写っている人物を選択する場合は、人物選択部３４は、まず、画像の中の人物の顔を判別し、顔の大きさに順位を付ける。そして、例えば、顔が大きく写っている人物から順にｎ人の顔データＳｐ１、Ｓｐ２、・・・、Ｓｐｎと元の撮影データＳｐを出力する。個々の顔データは、元の撮影データＳｐから写っている人の顔を切りだした画像データであってもよいし、撮影データＳｐの選択された人の顔の領域を示す座標データなどでもよい。
【００５１】
ここで、「顔が大きく写っている」とは、画像の中に占める顔の面積が大きいという判断でよいが、これに限定されるものではない。例えば、最も大きく写っているがカメラアングルが斜めであったために、面積としてはほかの人より小さくなる場合もある。その場合は、顔の縦の長さが最も大きく写っていると判断する処理をふくめてもよい。
【００５２】
また、ここで自然数ｎは、特に限定されるものではないが、非撮影者であるゲストが撮影されていることを意識していない場合は、２乃至４人の少ない数が好ましい。会場内を一緒に歩くとするとこの程度の人数毎となる場合が多いと考えられるからである。また、非撮影者が撮影されていることを意識している場合は、集合写真などが多く、ｎはより大きな数でもよい。
【００５３】
また、個々の撮影機３１から撮影データＳｐ毎にｎの数を通知できるようにしてもよい。このようにすると、大人数で集合写真を撮っても、抽出する際に、写っているすべての人用の撮影データＳｐを用意することができる。
【００５４】
図３に撮影データＳｐを例示する。撮影データＳｐは、園内撮影部３２によって撮影された会場内の画像である。図３では、３人のゲスト（ゲスト４、ゲスト５、ゲスト６）が１枚の画像中に写っている。ここで、上記のｎを「２」とすると、人物選択部３４は、この画像中で主たる２名と判断できる人物を選択し、その顔データＳｐ１とＳｐ２を出力する。
【００５５】
ここで、画像の中で顔が大きく写っているのはゲスト４及び５であるので、この２人の顔データがＳｐ１とＳｐ２として抜き出される。ゲスト６はこの画像に写ってはいるものの、主として写っているとは言えない。従って、この画像はゲスト４およびゲスト６が希望した場合に抽出されるように、この２名の顔データが抽出された。顔特徴データ抽出部３６は、この顔データＳｐ１とＳｐ２から顔特徴データＰＴ１とＰＴ２を抽出することになる。
【００５６】
顔特徴データ抽出部３６は、人物選択部３４から受け取った顔データＳｐ１、Ｓｐ２、・・・、Ｓｐｎから顔特徴データＰＴ１、ＰＴ２、・・・、ＰＴｎを得る。これらｎ個の顔特徴データを顔特徴データＰＴｐと呼ぶ。顔特徴データの求め方はゲスト顔特徴データ抽出部２５と同じである必要がある。ゲスト顔特徴データＧＴｐと顔特徴データＰＴｐは、一致の有無を判断する場合があるからである。同じ顔特徴データ同士でなければ、比較の対象にならず、撮影データＳｐの中から所望の画像を得ることができない。顔特徴データＰＴｐは、それらが含まれていた撮影データＳｐと一緒に、園内データ処理部３８に出力される。
【００５７】
園内データ処理部３８では、送られてきた顔特徴データＰＴ１、ＰＴ２、・・・、ＰＴｎのそれぞれと、撮影データＳｐおよび日付データＥｄをそれぞれ関連づけ、園内撮影データＳＨＯＴとして記録する。園内撮影データＳＨＯＴは具体的には、（ＰＴ１、Ｓｐ、Ｅｄ）、（ＰＴ２、Ｓｐ、Ｅｄ）、・・・、（ＰＴｎ、Ｓｐ、Ｅｄ）というデータである。なお、ここで括弧で括ったデータ同士が関連付けられたデータであることを示す。また、それぞれの顔データＳＰ１、ＳＰ２、・・・、ＳＰｎを含めてもよい。これらｎ個のデータ中、撮影データＳｐは全て同じである。１枚の画像から抽出したｎ人分の顔特徴データだからである。すなわち、関連付けられたデータ同士は、どれかのデータによって残りのデータを決定することができるように記憶される。
【００５８】
以上のように、園内撮影データＳＨＯＴ取得手段１２は、園内撮影部３２と、人物選択部３４と、顔特徴データ抽出部３６と、園内データ処理部３８から構成される。
【００５９】
図４には、園内撮影データＳＨＯＴ取得部１２の処理フローを示す。園内撮影データＳＨＯＴ取得手段１２がスタート（Ｓ１２０）すると、終了判断を行い（Ｓ１２２）、終了ならば停止する（Ｓ１２３）。終了判断は、撮影データＳｐが無くなる、若しくはシステム管理者が強制的に終了させたなどで判断してよい。
【００６０】
処理が継続する、すなわち、撮影データＳｐがある場合は、それを取得し（Ｓ１２４）、人物選択を行う（Ｓ１２６）。ここで、選択する人数ｎは、撮影データＳｐ毎に添付されてきてもよいし、送られてきた撮影データＳｐに対してシステム側で強制的に設定してもよい。人物選択の処理（Ｓ１２６）の結果、顔データＳｐ１、Ｓｐ２、・・・、Ｓｐｎを得る。
【００６１】
次にそれぞれの顔データから顔特徴データを抽出する（Ｓ１２８、１３０）。ここで人数ｎは、人物選択の処理工程（Ｓ１２６）で使用したのと同じｎを用いる。ステップＳ１２８では、顔特徴データの抽出の処理工程（Ｓ１３０）がｎ回繰り返されることを示す。この処理によって、顔特徴データＰＴ１、ＰＴ２、・・・、ＰＴｎを得る。なお、図３では、ＰＴｐを求めると記載した。
【００６２】
次にそれぞれの顔特徴データと元になった撮影データＳｐと日付データＥｄの関連付けを行い（Ｓ１３２）、記憶手段１５に記憶させ（Ｓ１３４）、終了判断に戻る（１２２）。以上が園内撮影データＳＨＯＴ取得手段１２の詳細である。
【００６３】
以上のようにして、会場へのゲストは、撮影されていることを知っている場合、知らない場合を含めて会場内のあちらこちらで、撮影され、その撮影データは、顔特徴データと共に、記憶手段１５に記録されることになる。
【００６４】
本発明の画像記録抽出システム１０では、ゲストは、会場からの退場時又は退場後、若しくは来訪の数日後に、来訪した際に自分が撮影された撮影データを所望することができる。この場合は、ゲストが撮影データＳｐを希望する申請者となって、申請手続きを行う必要がある。撮影データに写っている人に撮影データＳｐを送るためである。
【００６５】
申請者データＡＤ取得手段１３は、ゲストが自分が撮影されている撮影データＳｐの送付を希望する場合に、申請者となったゲストから所定の情報を取得する。ここで具体的に必要な情報は申請者の申請者情報ＷＩＤと、申請者の顔の画像データＷｐである。申請者が会場に行ったとする日付ＷＤｄを含めてもよい。
【００６６】
申請者が所定の情報を送信する手段は、特に限定されない。訪問した会場を退場する際であれば、会場出口に設置された申請者情報ＷＩＤ読取装置と、申請者の顔データＷｐを撮影する撮影機によって上記所定の情報を開催者に送信することができる。この場合は、特に日付データＷＤｄは不要である。実際に会場を訪問している当日だからである。
【００６７】
ゲストが会場を退場した後又は、会場に訪問してから数日後であれば、ゲストは有線若しくは無線といった手段で、上記所定の情報を開催者に送信する。郵便で送ることもできる。図１では、申請者が携帯を用いて所定の情報を無線送信する場合を示しており、情報は無線受信部４１が受信する。
【００６８】
申請者データ受信部４２は、画像記録抽出システム１０において、申請者となったゲストから送られてくる上記所定の情報を受信する構成部分である。具体的には、無線受信機、有線での受信機、郵便受付で構成することができる。申請者からの顔データＷｐは、申請者顔特徴データ抽出部４４にて、申請者顔特徴データＷＴｐが抽出される。ここでの顔特徴データの抽出方法は、ゲストデータＧＤ取得手段１１および園内撮影データＳＨＯＴ取得手段１２での顔特徴データ抽出と同じ方法で行なうことが必要である。これらの顔特徴データは互いに比較される場合があるからである。
【００６９】
次に申請者からの申請者情報ＷＩＤと、顔データＷｐと、申請者顔特徴データＷＴｐは、申請者データ処理部４６に送られ、互いに関連付けられて記憶部１５に記録される。なお、申請者が会場を訪問した日付データＷＤｄをこれらのデータと共に関連付け記録してもよい。日付データを検索の１つの条件とすることもできるからである。
【００７０】
以上のように、申請者データＡＤ取得手段１３は、申請者データ受信部４２、申請者顔特徴データ抽出部４４、申請者データ処理部４６から構成される。
【００７１】
図５には、申請者データＡＤ取得手段１３の処理のフローを示す。申請者データＡＤ取得手段１３がスタートすると（Ｓ１４０）、終了判断を行い（Ｓ１４２）、終了の場合は停止する（Ｓ１４３）。ここで終了条件は、システム管理者による停止指令があげられる。申請者からの申請は、いつ送られてくるかわからないので、申請者データ受信部は常に運転している必要があるからである。
【００７２】
処理を継続する場合は、申請者からのデータを受信し（Ｓ１４４）、申請者の顔データＷｐについては、申請者顔特徴データ抽出処理（Ｓ１４６）によって申請者の顔特徴データＷＴｐが抽出される。ステップＳ１４４でのデータの受信は、申請者からのデータ送信を受信するまで、待機する処理を示している。申請者情報ＷＩＤと、申請者顔データＷｐと、申請者の顔特徴データＷＴｐと、訪問した日付データＷＤｄは関連付けられ（Ｓ１４８）、そして記録される（Ｓ１５０）。その後処理は再び、終了処理（Ｓ１４２）に戻る。以上が申請者データＡＤ取得手段１３の詳細である。
【００７３】
次に処理手段１４についての詳細を説明する。処理手段１４は、申請者から申請者が写った撮影データＳｐの送信申請を受けたら、申請者が確かに会場を訪問したゲストであったのかという点について確認し、また、申請者が写っている撮影データを、記憶手段１５に蓄積された撮影データＳｐの中から抽出する。処理手段１４は、主としてコンピュータのソフトウエアとして実現される。ここで処理手段１４は１台のコンピュータに限定される必要はなく、複数のコンピュータを用いてもよい。
【００７４】
図６には、処理手段１４の処理フローを示す。処理手段１４がスタートしたら（Ｓ１６０）、終了判断を行い（Ｓ１６２）、終了であれば停止する（Ｓ１６３）。ここで終了判断はシステム管理者の停止指令若しくは、申請者データＡＤで未処理のものの有無で判定してもよい。処理手段１４の処理は申請者データＡＤがないと実行できないからである。
【００７５】
処理が継続される場合は、申請者データＡＤの中の、申請者情報ＷＩＤが、記憶手段１５中のゲストデータＧＤのいずれかの識別情報ＩＤと等しいか否かを調べる（Ｓ１６４）。ゲストへ付与した識別情報ＩＤはユニークなコードであるので、申請者情報ＷＩＤが特定の識別情報ＩＤと同じものであれば、申請者は来訪したゲストであると確認できるからである。
【００７６】
同じものがなければ、この申請者は他人になりすまし、自分とは関係ない撮影データを取得しようとしている者として、処理を中止し（Ｓ１６６）、終了判断（Ｓ１６２）に戻る。この場合、申請は受け付けられない旨のメッセージを返信してもよい。
【００７７】
申請者情報ＷＩＤと等しい識別情報ＩＤがあった場合は、申請者の顔特徴データＷＴｐと識別情報ＩＤと関連付けられているゲストの顔特徴データＧＴｐとを比較する（Ｓ１６８）。この比較でそれぞれの顔特徴データが一致すれば、申請者は顔特徴データでも来訪したゲストであることを確認できる。なお、顔特徴データが一致するとは、元になる顔データが同一人物であると所定の確率で識別できることをいう。
【００７８】
ここで、所定の確率は、開催者側で決めることができ、５０％以上、好ましくは８０％以上、より好ましくは９５％以上と設定するのがよい。この確率が低いと、申請者と少し似た他人を申請者として判断し、その他人が写っている撮影データＳｐも申請者に送られるおそれがあるからである。
【００７９】
申請者顔特徴データＷＴｐと識別情報ＩＤに関係付けられたゲストの顔特徴データＧＴｐが一致しなかったら、来訪したゲストの識別情報ＩＤを盗用してゲストに成りすまし撮影データＳｐを取得しようとする者であると判断し、処理を中止し（Ｓ１７０）、終了判断に戻る（Ｓ１６２）。
【００８０】
以上のように、他人になりすまして、他人の写っている撮影データＳｐを得ようとする行為は、識別情報ＩＤと申請者情報ＷＩＤを比較することで回避することができる。また、ゲストの顔特徴データＧＴｐと申請者顔特徴データＷＴｐの一致を確認することで、識別情報ＩＤが盗用された場合でも、他人へのなりすまし行為による不正な撮影データＳｐの取得を防止することができる。
【００８１】
次に、記憶手段１５中に蓄積された園内撮影データＳＨＯＴの中から、申請者顔特徴データＷＴｐ若しくはゲストの顔特徴データＧＴｐに一致する顔特徴データＰＴｐと関連付けられた撮影データＳｐを検索する（Ｓ１７２）。園内撮影データＳＨＯＴは、多量のデータであるので、多量のデータの中から所望のデータを速く探し出すことが必要である。このため、顔特徴データは、顔データから顔の特徴を抽出しただけでなく、検索のために必要な二次的加工を行ったデータであってもよい。
【００８２】
ここで、検索する撮影データＳｐが発見できなかったら、処理を中止し（Ｓ１７４）、終了判断に戻る（Ｓ１６２）。なお、ここで、申請者に撮影データＳｐは発見できなかった旨の連絡を行ってもよい。また、顔特徴データの比較において一致度をより緩やかにして再度検索を行なってもよい。
【００８３】
求める撮影データＳｐが見つかった場合は、これを出力し（Ｓ１７６）、終了判断（Ｓ１６２）に戻る。
【００８４】
抽出された撮影データＳｐは画像の中で、申請者が大きく、若しくは画像の中央に写っている画像データ群Ｖｐ（ｍ）である。ここで括弧の仲の「ｍ」は抽出された撮影データＳｐの個数である。この画像データ群Ｖｐ（ｍ）を申請者に対して送信する。なお、送信の際には、課金を伴っていてもよい。抽出が終了したら、終了判断に戻る。以上が処理手段の詳細説明である。
【００８５】
以上のように、本発明の画像記録抽出システムは、会場に来訪したゲストを、会場内で撮影し、その撮影データを、「なりすまし」や、プライベートの侵害といった問題をできるだけ回避して、来訪したゲスト本人に正しく送ることができる。
【００８６】
なお、本発明の画像記録抽出システムを構成する手段および構成部中でコンピュータとソフトウェアで実現される部分は複数のコンピュータとソフトウェアにまたがって実現されてもよい。また、ゲストデータＧＤ取得手段１１、園内撮影データＳＨＯＴ取得手段１２、申請者データＡＤ取得手段１３、処理手段１４は、それぞれ同期して動作してもよいし、独立して動作してもよい。
【００８７】
（実施の形態２）
本実施の形態では、来訪したゲストの入場時の利便性を高めたゲストデータＧＤ取得手段を示す。実施の形態１では、来訪したゲストは、ゲート２１で顔データＧｐを撮影されると共に、識別情報ＩＤをゲストデータ処理部２８に提示する。そして、この識別情報ＩＤは、ゲート２１を通過する以前にゲストに配布されている必要がある。
【００８８】
通常は、会場のチケット販売所等でチケット購入に伴い付与されればよいが、頻繁に会場を訪れるゲストに対しては、所定の期間何度でも入場可能となる会員券（若しくは定期券）や、所定の回数は入場できるプリペイド券の発行にともなって、その人物独自の識別番号を予め付与しておくことが考えられる。なお、以下会員券やプリペイド券の発行に伴って識別情報を取得した人物をメンバーと呼び、会員券やプリペイド券をメンバー券と呼ぶ。
【００８９】
本発明の場合では、特定の人物から予め顔データを取得し、識別番号を付与しておき、ゲート入場の際に、撮影機２３で取得した顔データＧｐから「特定の人物」かどうかを判断すれば、その特定の人物を「顔データＧｐ」だけでゲートを通過させることができる。これは、ゲストにとっては所謂「顔パス」が可能になることである。本実施の形態はそのような動作を実現するシステムを提供する。
【００９０】
図７に本実施の形態の関わるゲストデータＧＤ取得手段の構成を示す。来訪したゲストは、ゲート２１を通過し、その通過の際に撮影機２３で顔データＧｐが撮影され、ゲスト顔特徴データ抽出部２６でゲスト顔特徴データＧＴｐが求められ、顔データＧｐと共にゲストデータ処理部２８に送られる点は実施の形態１と同じである。
【００９１】
本実施の形態では、ここでゲストデータ処理部２８が、ゲート２１等に例示される識別情報ＩＤ取得部から識別情報ＩＤを取得できなかった場合に、新たな処理を行う。つまり、ゲート２１を通過しようとするゲストは識別情報ＩＤの提示を行わなかったゲストである。このようなゲストに対しては、メンバーであれば予め付与された識別情報を用いて、本発明の画像記録抽出システムによるサービスを付与し、メンバーでなければ、少なくとも本発明の画像記録抽出システムによるサービスを利用できない点を通知する必要がある。
【００９２】
以下、ゲストデータ処理部２８の処理の詳細を説明する。まず、本実施の形態では、予めメンバー券を希望する人物にメンバー券を発行し、メンバーとして登録する。ここでの登録情報は、少なくともそのメンバーに付与されるメンバー識別情報ＭＩＤと、その人物の顔データＭｐが含まれる。その他、メンバーとして有効な期間についての情報ＭＤｄが含まれていてもよい。年少の子供の場合、時間と共に顔の骨格が変化するので、一的期間毎に顔データＭｐを登録を更新しないと、ゲート通過時の顔特徴データと登録された顔特徴データの対比によって本人と識別できない場合もあるからである。
【００９３】
メンバーの顔データＭｐからは、実施の形態１でも説明した顔特徴データの抽出と同じ方法でメンバー顔特徴データＭＴｐが求められる。これらのデータは、メンバー登録データＭＤとして記憶手段１５に記録される。言い換えると、メンバー登録データＭＤは、メンバー顔特徴データＭＴｐと、メンバー顔情報Ｍｐと、メンバー識別情報ＭＩＤと、メンバー有効期間ＭＤｄが関連づけられて記憶手段１５に記録される。これをメンバー登録と呼ぶ。メンバーはこのメンバー登録データＭＤが記憶手段１５に記録されないと、「顔パス」状態を享受できない。
【００９４】
次にメンバー登録されたゲストが来訪した場合のゲストデータ処理部２８およびメンバー情報抽出部５１の動作を説明する。図７と図８を参照して、処理がスタートすると（Ｓ２００）、終了判定を行い（Ｓ２０２）、終了であると判断したら、停止する（Ｓ２０３）。終了判定は、実施の形態１の場合と同じでよい。
【００９５】
次に撮影機２３でゲスト顔データＧｐを撮影し（Ｓ２０４）、顔特徴データ抽出部２６で、ゲスト顔特徴データＧＴｐを求める（Ｓ２０６）。次にゲストデータ処理部２８は識別情報ＩＤを取得しようとする（Ｓ２０８）が、ゲストはメンバーであるので、識別情報ＩＤを提示を行わない。従って、ステップＳ２０８ではＮ分岐が選択される。もし識別情報ＩＤが提示されれば、実施の形態１と同じように、関連付けの処理（Ｓ２１４）を続けることができる。
【００９６】
識別情報ＩＤを取得できなかったゲストデータ処理部２８は、ゲスト顔特徴データＧＴｐをメンバー情報抽出部５１に送る。メンバー情報抽出部５１は、受け取ったゲスト顔特徴データＧＴｐと一致するメンバー顔特徴データＭＴｐが存在するか否かを検索する（Ｓ２１０）。この検索は顔特徴データによる検索と同様であるので、実施の形態１で説明した処理手段１４による検索と同じ方法を用いる。
【００９７】
メンバー情報抽出部５１は、検索の結果ＲＳＴをゲストデータ処理部２８に返す。検索結果ＲＳＴには、ゲスト顔特徴データＧＴｐと一致するメンバー顔特徴データＭＴｐが存在した場合はメンバー識別情報ＭＩＤを返す。もしゲスト顔特徴データＧＴｐと一致するメンバー顔特徴データＭＴｐを発見できなければ、該当者なしに相当する結果を返す。これは例えばヌルであってもよい。なお、仮にゲスト顔特徴データＧＴｐと一致するメンバー顔特徴データＭＴｐが存在しても、メンバー期限ＭＤｄの有効期限が過ぎた点を判断して「該当者なし」の結果を返してもよい。
【００９８】
ゲストデータ処理部２８は、メンバー識別情報ＭＩＤを得ることが出来たら（Ｓ２１０のＹ分岐）、メンバー識別情報ＭＩＤをゲストデータＧＤの識別情報ＩＤに代えて、（Ｓ２１２）、ゲスト顔データＧｐなどと一緒に関連付け（Ｓ２１４）、記憶手段１５に記録する（Ｓ２１６）。ゲストデータ処理部２８は、メンバー識別情報を得ることが出来なかったら（Ｓ２１０のＮ分岐）、終了判定（Ｓ２０２）に戻る。
【００９９】
なお、メンバー情報抽出部５１の結果をゲストに通知する通知手段５５を設けてもよい。通知手段５５は、表示パネルへの文字表示などで実現することができる。この場合、ゲストデータ処理部２８は、メンバー情報抽出部５１の結果ＲＳＴを受信し、メンバーと判断された場合は、ゲート２１を通過するゲストに、本発明の画像記録抽出システムのサービスを享受できる内容Ｓｖの表示を行い、メンバーと判断されなかったゲストには、サービスを受けられない旨の内容Ｓｖを表示する。
【０１００】
以上のように本実施の形態によれば、予め登録したメンバーは、ゲート通過時に撮影される顔データＧｐからメンバーであることを認識され、識別情報の提示が不要になるという利便性を享受することができる。
【産業上の利用可能性】
【０１０１】
本発明の画像記録抽出システムは、遊園地やイベント会場といった定常的に集客目的で運営されている会場で好適に利用できるほか、結婚式や同窓会といった、１度だけのイベントなどでも、利用することができる。
【符号の説明】
【０１０２】
１０  画像記録抽出システム
１１  ゲストデータＧＤ取得手段
１２  園内撮影データＳＨＯＴ取得手段
１３  申請者データＡＤ取得手段
１４  処理手段
１５  記憶手段
２１  ゲート
２２  識別情報ＩＤ取得部
２３  撮影機
２４  ゲスト顔データＧｐ撮影部
２６  ゲスト顔特徴データ抽出部
２８  ゲストデータ処理部
３１  撮影機
３２  園内撮影部
３４  人物選択部
３６  顔特徴データ抽出部
３８  園内データ処理部
４１  無線受信部
４２  申請者データ受信部
４４  申請社顔特徴データ抽出部
４６  申請者データ処理部
５１  メンバー情報抽出部
５５  通知手段
【図１】
2011044840.tif 000003
【図２】
2011044840.tif 000004
【図３】
2011044840.tif 000005
【図４】
2011044840.tif 000006
【図５】
2011044840.tif 000007
【図６】
2011044840.tif 000008
【図７】
2011044840.tif 000009
【図８】
2011044840.tif 000010